(57)【特許請求の範囲】
【請求項１】
複数の矩形状の棚部材の各コーナー部を４本の支柱の該棚部材取付部位に取り付けたラックにおける中間棚取付け機構であって、
上記支柱に着脱自在に取り付けられる上側縮径の円錐面を有する一対の半割筒体からなる円筒状の係止部材と、該係止部材の円錐面に対して嵌着孔を外嵌させることにより該円錐面で支持される中間棚部材のコーナー部品と、該コーナー部品が四隅に配設される上記中間棚部材とを備え、
上記コーナー部品は、上記支柱を挟んで接合される少なくとも２分割された第１及び第２のコーナー部品を備え、
上記第１のコーナー部品は、中間棚部材におけるコーナー部と連結されて４本の支柱に対してそれぞれ中間棚部材側に位置するように形成され、上記第２のコーナー部品は支柱の外側を覆うように配置されて、上記第１のコーナー部品との間に、上記係止部材の円錐面に外嵌して支持される断面半円状の円錐溝が形成されており、
上記第１及び第２のコーナー部品の接合面に、上記係止部材に支持させた第２のコーナー部品に対し、第１のコーナー部品を上方から支柱の軸線方向にスライドさせることにより相互に嵌合係止する嵌合係止部を設け、該嵌合係止部での両コーナー部品の接合によりその接合面間に上記係止部材に対する嵌着孔を形成するように構成され、
上記中間棚部材は、４本の支柱と棚部材が組み付けられた状態で、それらの支柱間に挿入可能な大きさに形成され、
上記嵌合係止部が、上記第１及び第２のコーナー部品の接合面の一方に設けられた支柱の軸線方向に沿って延びる係合溝と、上記接合面の他方に設けられた上記係合溝に嵌合係止する係合突条とで構成され、上記係合溝または係合突条の一端に、それらの嵌合状態において当接することにより中間棚部材の荷重を受ける当接壁を設け、
上記係合突条が、外向き及び内向きに突き出た係止部を有し、上記係合溝がこれら係止部と相互に嵌合係止し合う形状に形成されていることにより、上記第１及び第２のコーナー部品が抜け止め可能に構成されている、
ことを特徴とするラックの中間棚取付け機構。
【請求項２】
上記第２のコーナー部品の断面半円状の円錐溝の径方向開口部が、該第２のコーナー部品の接合面まで延びる一対の開口側壁を有し、該円錐溝内の空間と該一対の開口側壁の間の空間により、第１のコーナー部品との間に上記支柱に取付けた係止部材の嵌着孔が形成されている、
ことを特徴とする請求項１に記載のラックの中間棚取付け機構。
【請求項３】
第１のコーナー部品の接合面における上記嵌着孔の両側に設けた一対の係合突条の間に、４本の支柱間に傾斜状態で嵌入した中間棚部材を水平に向ける際に上記係合突条と支柱との干渉を避ける逃げ部を設けた、
ことを特徴とする請求項１または２に記載のラックの中間棚取付け機構。
【請求項４】
上記第１のコーナー部品が、略板状をなし、その一方の面に上記第２のコーナー部品の係合溝に係合する係合突条を有し、その他方の面に上記中間棚部材のコーナー部に連結するためのねじ穴を有し、
上記第１及び第２のコーナー部品が、互いに係合した状態で、上記第１のコーナー部品を底部側とした略直角２等辺三角形をしている、
ことを特徴とする請求項１〜３のいずれかに記載のラックの中間棚取付け機構。
【請求項５】
上記第１のコーナー部品と第２のコーナー部品との間の嵌合係止部の軸線方向の上端側を隠蔽するプレートを備えている、
ことを特徴とする請求項１〜４のいずれかに記載のラックの中間棚取付け機構。
【請求項６】
上記第１のコーナー部品に、上記棚部材のコーナー部を載置するための扇形の段部を備えている、
ことを特徴とする請求項１または２のいずれかに記載のラックの中間棚取付け機構。
【発明の詳細な説明】
【技術分野】
【０００１】
本発明は、組立式ラックの支柱に中間棚部材を取付ける棚取付け機構に関する。
【背景技術】
【０００２】
複数の矩形状の棚部材の各コーナー部を４本の支柱の該棚部材取付部位に取り付けた組立式のラックにおける中間棚取付け機構であって、上記支柱に着脱自在に取り付けられる上側縮径の円錐面を有する一対の半割筒体からなる円筒状の係止部材を介して、矩形状の棚部材の各コーナー部を取付けるようにした棚取付け機構は、例えば、特許文献１に示すように、従来公知である。
【０００３】
該公知の棚取付け機構は、棚部材のコーナー部が上記係止部材に密接して外嵌可能な上側縮径の円錐面形状の内周面を有する貫通孔を備えているため、棚部材のコーナー部の貫通孔を支柱に取付けた係止部材に上方から外嵌させるだけで棚部材を上記係止部材に嵌合係止させることができ、また、棚部材を上方に持ち上げるだけで棚部材と上記係止部材との嵌合係止を解除することができるから、組立式のラックの支柱に棚部材を簡単に取付け・取外すことができる。
【０００４】
しかし、特許文献１に示されている公知の棚取付け機構は、支柱に取付けた係止部材に棚部材のコーナー部の貫通孔を上方から外嵌させるため、組立後において、既存する棚部材の間に新たに中間棚を設けたい場合や、既存する棚部材の中間に位置する中間棚を取外したい場合には、中間棚の取付位置よりも上方に位置する既存の棚部材の全てをラックの支柱から取外した後でなければ、新たに中間棚を取付けたり、既存する中間棚を取外すことができないという問題があった。
【０００５】
一方、中間棚を直接着脱できるようにした技術として、特許文献２に示す組立式ラックの棚板位置決め装置が従来公知である。
しかし、該特許文献２に示されている棚板位置決め装置は、網板を支持する環座本体と環座副材で組成され、該環座本体が水平ロッド部の末端に開口状套設環が連接されてなり、該開口状套設環の開口が支柱の外径より大きく、該支柱に取付けた位置決めシートの外径より小さく、該環座副材が連接棒の末端に封口部が形成されて該封口部に円弧形凸片が設けられ、該環座副材の連接棒が環座本体の水平ロッド部に枢着されて水平に回動可能とされ、回動中に該環座副材の封口部が環座本体の開口状套設環と接触して結合されて一つの套設環を形成可能で、該封口部の円弧形凸片が開口状套設環に向けて突出すると共に、該環座副材の連接点と套設環の円の中心とを結ぶ線を超過し、該開口状套設環と該封口部が形成する套設環が支柱に組付けられた位置決めシート外を被覆する時、該円弧形凸片が位置決めシートの別側外壁を係止して封口部を張開不能として、該開口状套設環に結合状態を維持させて、位置決めシートを緊迫して位置決めされるようにしているから、装置が大型で構成が複雑であり、また、環座副材の封口部の円弧形凸片が環座副材の連接点と套設環の円の中心とを結ぶ線を超過する際に円弧形凸片を弾性変形させているから、係合部が丈夫なものではない。
【０００６】
更に、特許文献２に示されている組立式ラックでは、網板が片持ちであり、矩形状の網板の各コーナー部（４箇所）の支柱に上記棚板位置決め装置を取付ける場合に簡単に適用することができず、つまり、網板に上記棚板位置決め装置を取付けた状態のままでは、ラックの４本の支柱に上記棚板位置決め装置を取付けることができない。
【０００７】
【特許文献１】実公平７−５３５４５号公報
【特許文献２】登録実用新案第３０５８３７３号公報
【発明の開示】
【発明が解決しようとする課題】
【０００８】
本発明の技術的課題は、支柱に取付けた係止部材に保持させる中間棚部材のコーナー部品を、既存の棚部材をラックの支柱から取外さなくても上記係止部材に簡単に取付け・取外すことができる構造にすると共に、小型で丈夫で構造が簡単なものにしたラックの中間棚取付け機構を提供することにある。
本発明の他の技術的課題は、矩形状の中間棚部材をラックの４本の支柱で囲まれた空間内に取り付けやすくすると共に、中間棚部材を工具等を用いることなしに上記支柱に取付けた係止部材に簡単に取付け・取外すことができるラックの中間棚取付け機構を提供することにある。
【課題を解決するための手段】
【０００９】
上記課題を解決するため、本発明は、複数の矩形状の棚部材の各コーナー部を４本の支柱の該棚部材取付部位に取り付けたラックにおける中間棚取付け機構であって、上記支柱に着脱自在に取り付けられる上側縮径の円錐面を有する一対の半割筒体からなる円筒状の係止部材と、該係止部材の円錐面に対して嵌着孔を外嵌させることにより該円錐面で支持される中間棚部材のコーナー部品と、該コーナー部品が四隅に配設される上記中間棚部材とを備え、上記コーナー部品は、上記支柱を挟んで接合される少なくとも２分割された第１及び第２のコーナー部品を備え、上記第１のコーナー部品は、中間棚部材におけるコーナー部と連結されて４本の支柱に対してそれぞれ中間棚部材側に位置するように形成され、上記第２のコーナー部品は支柱の外側を覆うように配置されて、上記第１のコーナー部品との間に、上記係止部材の円錐面に外嵌して支持される断面半円状の円錐溝が形成されており、上記第１及び第２のコーナー部品の接合面に、上記係止部材に支持させた第２のコーナー部品に対し、第１のコーナー部品を上方から支柱の軸線方向にスライドさせることにより相互に嵌合係止する嵌合係止部を設け、該嵌合係止部での両コーナー部品の接合によりその接合面間に上記係止部材に対する嵌着孔を形成するように構成され、
上記中間棚部材は、４本の支柱と棚部材が組み付けられた状態で、それらの支柱間に挿入可能な大きさに形成され、上記嵌合係止部が、上記第１及び第２のコーナー部品の接合面の一方に設けられた支柱の軸線方向に沿って延びる係合溝と、上記接合面の他方に設けられた上記係合溝に嵌合係止する係合突条とで構成され、上記係合溝または係合突条の一端に、それらの嵌合状態において当接することにより中間棚部材の荷重を受ける当接壁を設け、上記係合突条が、外向き及び内向きに突き出た係止部を有し、上記係合溝がこれら係止部と相互に嵌合係止し合う形状に形成されていることにより、上記第１及び第２のコーナー部品が抜け止め可能に構成されていることを特徴とするものである。
【００１１】
また、本発明の他の好ましい実施形態においては、上記第２のコーナー部品の断面半円状の円錐溝の径方向開口部が、該第２のコーナー部品の接合面まで延びる一対の開口側壁を有し、該円錐溝内の空間と該一対の開口側壁の間の空間により、第１のコーナー部品との間に上記支柱に取付けた係止部材の嵌着孔が形成されたものとして構成される。
また、本発明の望ましい実施形態においては、第１のコーナー部品の接合面における上記嵌着孔の両側に設けた一対の係合突条の間に、４本の支柱間に傾斜状態で嵌入した中間棚部材を水平に向ける際に上記係合突条と支柱との干渉を避ける逃げ部が設けられる。
【００１２】
本発明に係る中間棚取付け機構の他の好ましい実施形態においては、上記第１のコーナー部品が、略板状をなし、その一方の面に上記第２のコーナー部品の係合溝に係合する係合突条を有し、その他方の面に上記中間棚部材のコーナー部に連結するためのねじ穴を有し、上記第１及び第２のコーナー部品が、互いに係合した状態で、上記第１のコーナー部品を底部側とした略直角２等辺三角形をしているものとして構成される。
この場合、上記第１のコーナー部品と第２のコーナー部品との間の嵌合係止部の軸線方向の上端側を隠蔽するプレートを備えることが望まれる。
【００１３】
本発明に係る中間棚取付け機構において、中間棚部材に第１のコーナー部材を固定的に取り付けておかない場合には、上記第１のコーナー部品に、上記棚部材のコーナー部を載置するための扇形の段部を備えるものとして構成できる。
【００１４】
上記構成を有する本発明の上記棚取付け機構においては、上記中間棚部材をラックの４本の支柱で囲まれた空間内に挿入しやすく、上記中間棚部材の各コーナー部に取付けられた上記第１のコーナー部品の接合面を上記４本の支柱に近接させることが可能になる。そのため、既存の棚部材をラックの支柱から取外さなくても、上記支柱上に保持させた係止部材に上記第１及び第２のコーナー部品を取付けたり取外すことができ、それによって中間棚部材を取付け・取外すことができ、しかも、そのためのコーナー部品を小型で構造が簡単、丈夫なものにすることができる。
また、上記棚取付け機構は、上記第１及び第２のコーナー部品の嵌合係止部が、それらを軸線方向に相対移動させるだけで着脱自在に係合するから、第１及び第２のコーナー部品の係合に工具等を用いることなしに、上記支柱に取付けた係止部材に簡単に取付け・取外しすることができる。
【発明の効果】
【００１５】
上述した本発明の中間棚取付け機構によれば、支柱に取付けた係止部材に保持させる中間棚部材のコーナー部品を、既存の棚部材をラックの支柱から取外さなくても上記係止部材に簡単に取付け・取外すことができる構造にすると共に、小型で丈夫で構造が簡単なものにすることができる。
また、矩形状の中間棚部材がラックの４本の支柱で囲まれた空間内に取り付けやすくなると共に、中間棚部材を工具等を用いることなしに上記支柱に取付けた係止部材に簡単に取付け・取外すことができる。
【発明を実施するための最良の形態】
【００１６】
以下に、本発明の棚取付け機構を、図に示す実施例に基づいて詳細に説明する。
図１は、本発明に係る第１及び第２実施例の棚取付け機構１，２を用いて第１及び第２の中間棚部材３，４をラック１００の４本の支柱１０１に取り付けた状態を示している。
なお、図１に示すラック１００の最上段の棚部材１０２及び最下段の棚部材１０３における棚取付け機構１０４は、従来から知られている棚取付け機構であり、本発明に係る上記第１及び第２実施例の棚取付け機構ではない。
【００１７】
図２は、本発明に係る第１実施例の棚取付け機構１の分解斜視図であり、図３は、該棚取付け機構１における第１のコーナー部品１１及び第２のコーナー部品１２を係合させた状態の平面図である。
上記第１実施例の棚取付け機構１では、図２に示すように、ラックの支柱１０１に取付けた上側縮径の円錐面を有する円筒状の係止部材１１０に、支柱１０１を挟んで接合される少なくとも２分割されたコーナー部品１１，１２を介して、中間棚部材３を取付けている。上記係止部材１１０は、ラック１００の支柱１０１に着脱自在に外嵌する縦割りに２分割された一対の半割筒体１１１，１１１で構成され、該一対の半割筒体１１１，１１１は、同一形状で、その外周面が上側縮径の円錐面１１１ａであり、その内周面に、上記支柱１０１の外周面に軸線方向に沿って等間隔で複数設けた環状係合溝１０６に係合する係合突条１１２を有し、縦割りに分割された軸線方向に延びる一方及び他方の側端面１１３に互いに着脱自在に係合する係合凹部１１４及び係合突部１１５を設けている。
【００１８】
上記係止部材１１０は、互いに着脱自在に係合可能な一対の半割筒体１１１，１１１で構成されているため、上記支柱１０１に着脱自在に取付けることができる。また、上記係合凹部１１４及び係合突部１１５は、互いに係合した状態で指の爪が入る程度の軸線方向の隙間１１６が残るように形成されており、該隙間１１６は上記支柱１０１に取付けた係合状態の一対の半割筒体１１１，１１１を軸と直交する方向に分離する際に役に立つ。
【００１９】
上記２分割されたコーナー部品１１，１２は、図２に示すように、上記中間棚部材３のコーナー部３１が取付けられる第１のコーナー部品１１と、該第１のコーナー部品１１の上記中間棚部材３が取付けられる側と反対側の接合面２２に支柱１０１を挟んで着脱自在に係合される第２のコーナー部品１２とで構成されている。
上記第１及び第２のコーナー部品１１，１２は、図３に示すように、互いに係合した状態では、平面視で上記第１のコーナー部品１１を底部側とした略直角２等辺三角形状をなし、上記第２のコーナー部品１２は、上記第１のコーナー部品と分離した状態でも平面視で略直角２等辺三角形状をなしている。
【００２０】
上記中間棚部材３は、四隅にコーナー部３１（図１及び図２参照）を有する矩形状をなしており、該コーナー部３１は矩形の角から直角２等辺三角形の角を切欠いた状態に形成され、該中間棚部材３のコーナー部３１に上記第２のコーナー部品１２と係合した第１コーナー部品１１を取付けると、上記切欠いた直角２等辺三角形の角が補填される。
図２に示すように、該中間棚部材３の各辺３２及びコーナー部３１は下方に一定幅で折り曲げられてフランジを構成している。また、上記中間棚部材３は、その各コーナー部３１に取付けた上記第１のコーナー部品１１の外側面（接合面２２）をラックの４本の支柱１０１に近接できる大きさを有している。即ち、上記第１のコーナー部品１１は、中間棚部材３におけるコーナー部３１と連結されて、支柱間への組付時には、４本の支柱１０１に対してそれぞれ中間棚部材側においてほぼ接する位置にあるように形成されている。
【００２１】
上記第１のコーナー部品１１は、図２に示すように略板状をなし、その一方の面（接合面２２）に上記第２のコーナー部品１２の係合溝４１，４１に係合する一対の係合突条２３，２３を有し、他方の面に上記中間棚部材３のコーナー部３１が嵌入し接合する両側にテーパー面２１ａを備えた矩形状の凹部２１を有し、該凹部２１の底面２１ｂに上記中間棚部材３のコーナー部３１を取付けるためのボルト１５，１５が螺入される一対のねじ穴２４，２４を設けている。上記一対のねじ穴２４，２４は、図２、図６に示すように、上記係合突条２３の背面側から該係合突条２３の内部に達する深さを有している。
【００２２】
上記中間棚部材３は、そのコーナー部３１の外面を上記第１のコーナー部品１１の凹部２１に接合させると共に該コーナー部３１の内面に金属製の当板１４を当て、該第１のコーナー部品１１と当板１４で中間棚部材３のコーナー部３１をサンドイッチ状に挟んだ状態で、該当板１４及びコーナー部３１に設けた貫通孔１４ａ及び３１ａを通るボルト１５を第１のコーナー部品１１の凹部２１のねじ穴２４に螺入することにより、上記第１のコーナー部品１１に固着される。上記当板１４は金属製である必要はなく、合成樹脂製等で形成することができる。
【００２３】
上記第２のコーナー部品１２は、図２及び図３に示すように、上記支柱１０１の外側を覆うように配置され、上記支柱１０１に取付けた係止部材１１０に外嵌して支持される断面半円状で上側縮径（図４参照）の円錐溝４２ａと、上記支柱１０６の直径よりも大きく上記係止部材１１０の最大直径よりも小さい開口幅を備えた該円錐溝４２ａの径方向開口部４２ｂとが形成され、これらにより、上記第１のコーナー部品１１との間に、係止部材１１０に外嵌する嵌着孔４２が形成されている。上記円錐溝４２ａの径方向開口部４２ｂは、該第２のコーナー部品１２の接合面４５まで延びる一対の開口側壁４２ｃの間の空間に形成されたものである。
【００２４】
上記第１及び第２のコーナー部品１１，１２は、図２及び図３に示すように、該第１及び第２のコーナー部品１１，１２の接合面２２，４５に、上記係止部材１１０に支持させた第２のコーナー部品１２に対し、第１のコーナー部品１１を上方から支柱１０１の軸線方向にスライドさせることにより、弾性変形を伴うことなく、互いに着脱自在に嵌合係止する嵌合係止部４０が設けられている。これらの嵌合係止部４０は、上記第２のコーナー部品１２の接合面４５に設けられた、上記支柱１０１の軸線方向に沿って延びる係合溝４１と、上記第１のコーナー部品１１の接合面２２に設けられた上記係合溝４１に嵌合係止する係合突条２３とで構成され、上記係合溝４１は、軸線方向の上端側が係合突条２３の挿入のために開放され、軸線方向の下端側が上記第１のコーナー部品１１及びこれに取付けられた上記中間棚部材３の荷重を上記係合突条２３を介して支持できるように当接壁４６で閉じられている。
【００２５】
そして、上記嵌合係止部４０での両コーナー部品１１，１２の接合により、それらの接合面間に上記係止部材１１０に対する嵌着孔４２が形成されるように構成している。
なお、上記係合溝４１と係合突条２３は、上記第１及び第２のコーナー部品の接合面のいずれに設けても差し支えないが、上記当接壁４６は、上記係合溝４１または係合突条２３の一端に、それらの嵌合状態において中間棚部材３の荷重を受ける状態で設ける必要がある。
【００２６】
上記係合突条２３は、図６に示すように、外向きに突き出た係止部２５ａを有し軸線方向に延びる第１の係合突条２５と、内向きに突き出た係止部２６ａを有し軸線方向に延びる第２の係合突条２６とを有し、該第１及び第２の係合突条２５，２６は、上記係合溝４１に挿入し易くするために、図５に示すように、その軸線方向の下端側（係合溝に挿入される側）にテーパー部２５ａ，２５ｂ，２５ｃ，２６ａをそれぞれ設けている。
上記係合突条２３には、その軸線方向の上端に後述するプレート１３を係止するためのピン穴２７が設けられると共に、第１のコーナー部品１１の上面に対し該プレート１３の厚さ分だけ低くした段差が設けられている。
【００２７】
上記プレート１３は、上記第１のコーナー部品１１の係合突条２３と上記第２のコーナー部品１２の係合溝４１との間の嵌合係止部４０の軸線方向の上端側を隠蔽するためのものであり、図２に示すように、上記支柱１０１に取付けられた係止部材１１０に外嵌可能な半円形の開口１３ａと、上記ピン穴２７に挿入される一対の係合ピン１３ｂとを有している。
そして、上記第２のコーナー部品１２にも、図２に示すように、上記プレート１３で覆われる上端側に該プレートの厚さ分だけ低くした段差が設けられている。
なお、上記第１及び第２のコーナー部品１１，１２及び上記プレート１３は、射出成形により製作された硬質の合成樹脂で構成されており、外力がかかっても弾性変形することはない。
【００２８】
上記中間棚部材３は、４本の支柱１０１に前記棚部材１０２，１０３が組み付けられた状態で、それらの支柱１０１間に挿入可能な大きさに形成されるが、該中間棚部材を予め組み付けられている棚部材１０２，１０３と同程度の大きさにする場合には、４本の支柱１０１間に中間棚部材３を嵌入する際に傾斜状態で嵌入し、そのうえで水平にする必要がある。しかしながら、中間棚部材３の四隅の第１のコーナー部材１１は、それらがそれぞれ支柱１０１にほぼ当接する状態にする必要があり、その場合に、該第１のコーナー部材１１に支柱１０１が嵌合するような半円筒状の凹溝を設けておくと、該凹溝の口縁が支柱と干渉して中間棚部材３を水平に向けることができなくなる。
【００２９】
そのため、第１のコーナー部品１１の接合面２２における上記嵌着孔４２の両側に設けた一対の係合突条２３の間には、図７に示すように、４本の支柱１０１間に傾斜状態で嵌入した中間棚部材３を水平に向ける際に上記係合突条２３と支柱１０１との干渉を避けるための逃げ部４４を設けている。前記係合突条２３におけるテーパー部２５ｃ，２６ａ（図５）も上記逃げ部４４と同様に機能するものである。これらの逃げ部４４の存在により、中間棚部材３は支柱１０１間に傾斜した状態で嵌入して水平に向きを変えることが可能になり、棚部材１０２，１０３を支柱に組み付けた状態でも、それらと同等の大きさの中間棚部材３を支柱間に取り付けることができる。
【００３０】
上記構成を有する棚取付け機構１においては、上記中間棚部材３をラックの４本の支柱１０１で囲まれた空間内に挿入しやすく、上記中間棚部材３の各コーナー部３１に取付けられた上記第１のコーナー部品１１の接合面２２を上記４本の支柱１０１に近接させることが可能になる。そのため、既存の棚部材１０２，１０３をラックの支柱１０１から取外さなくても、上記支柱上に保持させた係止部材１１０に上記第１及び第２のコーナー部品１１，１２を取付けたり取外すことができ、それによって中間棚部材３を取付け・取外すことができ、しかも、そのためのコーナー部品を小型で構造が簡単、丈夫なものにすることができる。
【００３１】
また、上記棚取付け機構１は、上記第１及び第２のコーナー部品１１，１２の嵌合係止部４０が、それらを軸線方向に相対移動させるだけで着脱自在に係合するから、第１及び第２のコーナー部品の係合に工具等を用いることなしに、上記支柱１０１に取付けた係止部材１１０に簡単に取付け・取外しすることができる。
なお、上記棚取付け機構１は、二つのラック相互間においても、両ラックの各２本の支柱１０１を利用してそれらの間に中間棚部材３を支持させることができ、この場合にも二つのラックにおける棚部材１０２，１０３を取り付けたままで中間棚部材３を装着することができる。
【００３２】
図８及び図９は、本発明に係る第２実施例の棚取付け機構２を示している。
この棚取付け機構２は、支柱１０１に取付けた上側縮径の円錐面を有する円筒状の係止部材１１０に着脱自在に取付けられる２分割された第１及び第２のコーナー部品５１，５２を有している。この２分割されたコーナー部品５１，５２は、中間棚部材４のコーナー部４９が取付けられる第１のコーナー部品５１と、該第１のコーナー部品５１の外側の接合面６１に着脱自在に係合される第２のコーナー部品５２とで構成され、上記第２のコーナー部品５２に上記支柱１０１に取付けた係止部材１１０に外嵌する断面半円状の円錐溝５４が形成されると共に、上記第１のコーナー部品５１にも上記係止部材１１０に外嵌する同様の円錐溝５３がそれぞれ設けられ、これらによって嵌着孔５５が形成され、該第１及び第２のコーナー部品５１，５２の接合面６１，６２に、上記係止部材１１０に支持させた第２のコーナー部品５２に対し、第１のコーナー部品５１を上方から支柱１０１の軸線方向にスライドさせることにより、互いに着脱自在に嵌合係止する係合溝６３と係合突条６４がそれぞれ設けられている。また、上記円錐溝５３及び５４は、上記支柱１０１に取付けた係止部材１１０の外周面に密接可能で、上記支柱の直径よりも大きく上記係止部材の最大直径よりも小さい開口幅を備えた上記半内周面の径方向開口部を有している。
【００３３】
上記中間棚部材４は、その各コーナー部４９に第１のコーナー部品５１を固定的に取り付ける場合には、外注間棚部材４に取り付けられ上記第１のコーナー部品５１を上記４本の支柱１０１に近接できる大きさに形成する必要があるが、この場合は第１実施例と同様に構成すればよい。
また、図示しているように、上記第１のコーナー部品５１に、上記中間棚部材４のコーナー部４９を載置するため扇形の段部５１ａと、上記コーナー部４９の両側辺から垂下するフランジ４９ａ，４９ａが挿入される一対の係合溝５１ｂ，５１ｂとを設け、中間棚部材４と第１のコーナー部品５１を着脱自在にしている場合には、中間棚部材４の装脱を容易に行うことができる。
【００３４】
上記係合溝６３は、上記第１のコーナー部品５１の接合面６１に設けた上記円錐溝５５の軸線方向に沿って延び、その下端側が係合突条６４との挿入用に開放され、上端側が荷重支持可能に当接壁６５で閉じられたものであり、上記係合突条６４は、上記第２のコーナー部品５２の接合面６２に設けた上記円錐溝５４の軸線方向に沿って延びるもので、その上端部には上記第１のコーナー部品５１の当接壁６５の厚さ分だけ低い段差が設けられている。
また、上記支柱１０１及び係止部材１１０は、図２で説明した支柱１０１及び係止部材１１０と同じ構成である。
【００３５】
上記棚取付け機構２は、上述した構成を有するため、既存する棚部材１０２（図１参照）をラックの支柱１０１から取外さなくても、上記第１及び第２のコーナー部品５１，５２を上記支柱１０１に取付けた係止部材１１０に取付けたり取外すことができ、また、上記コーナー部品５１，５２を小型で構造が簡単で係合箇所が壊れにくい丈夫なものにすることができる。
【００３６】
なお、上記第２実施例のその他の構成及び作用は第１実施例の場合と実質的に相違するところがない。
以上において、本発明の棚取付け機構の実施の形態について詳述したが、本発明は、ここで説明した実施例に限定されるものではなく、特許請求の範囲に記載の発明の精神を逸脱しない範囲で、設計において種々の変更ができるものである。
【図面の簡単な説明】
【００３７】
【図１】本発明に係る棚取付け機構（第１及び第２実施例）を用いて中間棚部材をラックの支柱に取り付けた状態を示す斜視図である。
【図２】本発明の第１実施例における棚取付け機構の分解斜視図である。
【図３】本発明の第１実施例における第１及び第２のコーナー部品の係合状態を示す平面図である。
【図４】図３のＡ−Ａ断面図である。
【図５】本発明の第１実施例における第１のコーナー部品の正面図である。
【図６】図５のＢ−Ｂ断面図である。
【図７】本発明の第１実施例における第１のコーナー部品を支柱に対して傾けて装着する態様を説明するための説明図である。
【図８】本発明の第２実施例における棚取付け機構の分解斜視図である。
【図９】本発明の第２実施例における第１のコーナー部品を別の角度から見た斜視図である。
【符号の説明】
【００３８】
１，２    棚取付け機構
３，４    中間棚部材
１１，５１    第１のコーナー部品
１２，５２    第２のコーナー部品
１３    プレート
２２，４５，６１，６２    接合面
２３，６４    係合突条
２４    ねじ穴
３１    コーナー部
４０    嵌合係止部
４１，６３    係合溝
４２，５５    嵌着孔
４２ａ  円錐溝
４２ｂ  径方向開口部
４２ｃ  開口側壁
４４    逃げ部
４６    当接壁
５１ａ  段部
１００    ラック
１０１    支柱
１０２，１０３    棚部材
１１０    係止部材
１１１    半割筒体
１１１ａ  円錐面
【図１】
0004749150.tif 000002
【図２】
0004749150.tif 000003
【図３】
0004749150.tif 000004
【図４】
0004749150.tif 000005
【図５】
0004749150.tif 000006
【図６】
0004749150.tif 000007
【図７】
0004749150.tif 000008
【図８】
0004749150.tif 000009
【図９】
0004749150.tif 000010